(57)【特許請求の範囲】
【請求項１】
ＩＣカード読み取り可能な端末で使用可能なＩＣカードにおいて、
前記ＩＣカードの表面に第１広告情報を印刷した広告印刷部と、
不揮発性メモリと、
前記不揮発性メモリの記憶領域に割り当てられ、保護対象のデータの書き込みに使用される第１の記憶領域と、
前記不揮発性メモリの記憶領域に割り当てられ、繰り返し書き込み可能な第２の記憶領域と、
前記第１の記憶領域を一回のみ書き込み可能な記憶領域に設定するために前記第１の記憶領域を書き換え不可に設定する記憶領域保護手段と、
外部からの書き込み要求に応じて、前記ＩＣカードを読み取り可能な端末の出力装置に第２の広告情報を出力させるための電子情報を前記第１の記憶領域に書き込むと共に、前記電子情報を書き込んだ領域を前記記憶領域保護手段によって書き換え不可に設定する書き込み制御手段と、
前記端末の電源投入時または前記端末への前記ＩＣカードの装着時に前記第１の記憶領域に記憶されている電子情報を前記端末に送信する処理を実行することによって、前記第２広告情報の出力を前記端末に促す電子情報送信手段とを具備し、
前記記憶領域保護手段は、前記第１の記憶領域を所定バイトの記憶サイズを各々が有する複数の単位記憶領域に分けて管理し、前記各単位記憶領域毎にデータ書き換えの許可または禁止を示す保護情報を記憶する手段と、前記保護情報の値に基づいて前記第１の記憶領域に対する書き込みを単位記憶領域毎に許可又は禁止する手段とを含み、
前記書き込み制御手段は、前記電子情報を前記第１の記憶領域に書き込むと共に、前記電子情報が書き込まれた単位記憶領域それぞれを書き換え不可に設定するために、前記電子情報が書き込まれた単位記憶領域それぞれに対応する保護情報の値を、書き込み許可を示す値から書き込み禁止を示す値に更新する手段とを含むことを特徴とするＩＣカード。
【請求項２】
前記電子情報は、前記端末がアクセス可能なネットワーク上における前記第２広告情報の所在位置を示すアドレス情報であり、
前記電子情報送信手段は前記アドレス情報を前記端末に送信するための処理を実行することによって、前記アドレス情報で指定されるネットワーク上のサーバにアクセスして前記第２広告情報を取得し且つその第２広告情報を前記端末の出力装置に出力する処理の実行を前記端末に促すことを特徴とする請求項１記載のＩＣカード。
【発明の詳細な説明】
【０００１】
【発明の属する技術分野】
本発明はＩＣカードおよび同ＩＣカードを用いた広告方法に関する。
【０００２】
【従来の技術】
近年、情報技術の進展に伴い、ＩＣカードを用いた様々なシステムの開発が進められている。ＩＣカードはＩＣチップ内にデータを記憶するので、磁気カードのように記録面がカード表面に露出されている構造のものに比しセキュリティー性が高く、且つ大容量のデータを記憶することが可能である。よって、最近では、例えば、クレジットカードシステム、キャッシュカードシステム、社員証システム、鉄道の乗車券システム、テレフォンカードシステム、衛星放送システム等を初めとする様々な分野で、ＩＣカードの採用が進められている。
【０００３】
このようなＩＣカードの普及により、今後は、誰もがＩＣカードを所持し、街角や各種店舗に設置されたＩＣカード端末や、個人の情報端末等にそのＩＣカードを装着するだけで、様々なサービスを受けることができるという環境の実現が期待されている。
【０００４】
ところで、従来では、企業等の広告、宣伝のためのツールとしては、テレビやラジオといった放送媒体が主に利用されている。また、最近では、インターネットのホームページ上に広告バーナーを表示することも行われている。
【０００５】
【発明が解決しようとする課題】
しかし、上述のような広告手法は大がかりな仕組みを必要としているため、広告依頼者にとっては多くの広告費を支払うことが必要となり、広告コストが高くなるという問題がある。また放送やインターネットの広告バーナーは不特定多数のユーザを対象としたものであるので、特定のユーザ層をターゲットとした広告情報の提供は実際上困難であった。
【０００６】
本発明は上述の事情を考慮してなされたものであり、その目的とするところは、各個人に配布して使用されるというＩＣカードの特徴を利用して、広告情報をそれを必要とする利用者に効率よく提供することが可能なＩＣカードおよび同ＩＣカードを用いた広告方法を提供することにある。
【０００７】
【課題を解決するための手段】
本発明はかかる課題を解決するものであり、請求項１の発明は、ＩＣカード読み取り可能な端末で使用可能なＩＣカードにおいて、前記ＩＣカードの表面に第１広告情報を印刷した広告印刷部と、不揮発性メモリと、前記不揮発性メモリの記憶領域に割り当てられ、保護対象のデータの書き込みに使用される第１の記憶領域と、前記不揮発性メモリの記憶領域に割り当てられ、繰り返し書き込み可能な第２の記憶領域と、前記第１の記憶領域を一回のみ書き込み可能な記憶領域に設定するために前記第１の記憶領域を書き換え不可に設定する記憶領域保護手段と、外部からの書き込み要求に応じて、前記ＩＣカードを読み取り可能な端末の出力装置に第２の広告情報を出力させるための電子情報を前記第１の記憶領域に書き込むと共に、前記電子情報を書き込んだ領域を前記記憶領域保護手段によって書き換え不可に設定する書き込み制御手段と、前記端末の電源投入時または前記端末への前記ＩＣカードの装着時に前記第１の記憶領域に記憶されている電子情報を前記端末に送信する処理を実行することによって、前記第２広告情報の出力を前記端末に促す電子情報送信手段とを具備し、前記記憶領域保護手段は、前記第１の記憶領域を所定バイトの記憶サイズを各々が有する複数の単位記憶領域に分けて管理し、前記各単位記憶領域毎にデータ書き換えの許可または禁止を示す保護情報を記憶する手段と、前記保護情報の値に基づいて前記第１の記憶領域に対する書き込みを単位記憶領域毎に許可又は禁止する手段とを含み、前記書き込み制御手段は、前記電子情報を前記第１の記憶領域に書き込むと共に、前記電子情報が書き込まれた単位記憶領域それぞれを書き換え不可に設定するために、前記電子情報が書き込まれた単位記憶領域それぞれに対応する保護情報の値を、書き込み許可を示す値から書き込み禁止を示す値に更新する手段とを含むことを特徴とする。
【０００８】
このＩＣカードにおいては、そのＩＣカードの表面に第１広告情報が印刷されているとともに、ＩＣカード内には、端末の出力装置にその第１広告情報に関連する第２広告情報を画像、音声等によって出力させるための電子情報が記憶されており、このＩＣカードを端末に装着して使用する際には、そのＩＣカードに記憶されている電子情報が端末に送信され、これによって第１広告情報に関連する第２広告情報の出力を行うべきことが端末に促される。この電子情報の送信は、端末の電源投入時または端末へのＩＣカードの装着時に端末との間で実行される通信によって、自動的に実行される。これにより、一種のオープニング画面として、ＩＣカードに固有の広告情報を自動的に表示すること等が出来る。また、ＩＣカードは、例えば広告主が主催するイベント開場や、広告主が経営する店舗などに実際に足を運んだ利用者に対してその場で配布することができるので、イベントに関係するサービスや、各種商品に関する広告、宣伝のための広告情報などを表示するために必要な電子情報を予めＩＣカードに書き込んでおき、それをイベント開場や店舗で配布するだけで、カード表面に印刷された第１広告情報のみならず、それに関連する第２広告情報をも特定のユーザ層をターゲットとして効率よく提供することが出来る。よって、企業等の広告、宣伝ツールとして有効に利用可能なＩＣカードが実現される。また、このＩＣカードにおいては、本来は書き換え可能な不揮発性メモリを使用しつつ、その第１記憶領域についてはそこに一度書き込んだデータを書き換え不可にする機能を設けているので、ＩＣカードを読み取り可能な端末に第２の広告情報を出力させるための電子情報を第１記憶領域に記憶したＩＣカードをその書き換えを禁止した状態で配布することが可能となる。これにより、ＩＣカードの配布後に電子情報が書き換えられてしまうことが無くなり、より効率的に第２広告情報を利用者に提供することが出来る。また、第２の記憶領域についてはユーザが自由に使用することができる。さらに、第１の記憶領域については、所定バイトの記憶サイズを各々が有する複数の単位データ記憶領域に分けて管理されており、これら複数の単位データ記憶領域の内で、電子情報が書き込まれた各単位データ記憶領域についてのみ、その書き換えが禁止される。よって、第１の記憶領域内の余っている領域はＩＣカードの配布後においても書き換え不可の各種データの書き込みに使用することが出来、ＩＣカードの適用分野の拡張を図ることが可能となる。
【０００９】
ここで、ＩＣカードに記憶する電子情報は、端末の表示装置に第２広告情報として表示される動画、静止画の画像情報、または端末の音声出力装置に第２広告情報として音声出力すべき音声情報それ自体であってもよいが、請求項２の発明は、前記電子情報は、前記端末がアクセス可能なネットワーク上における前記第２広告情報の所在位置を示すアドレス情報であり、前記電子情報送信手段は前記アドレス情報を前記端末に送信するための処理を実行することによって、前記アドレス情報で指定されるネットワーク上のサーバをアクセスして前記第２広告情報を取得し且つその第２広告情報を前記端末の表示装置に表示する処理の実行を前記端末に促すことを特徴とする。これにより、アドレス情報という僅かなデータサイズの電子情報を書き込んでおくだけで、広告主の最新のホームページ等を第２広告情報として自動的に端末の出力装置に出力させることが可能となる。
【００２２】
【発明の実施の形態】
以下、図面を参照して本発明の実施形態を説明する。
図１には、本発明の一実施形態に係るＩＣカードが示されている。このＩＣカード１１はカード形状の外装内にＩＣチップ１３を埋め込んで構成されるものであり、ＩＣカード読み取り可能な様々な端末に装着して使用される。端末とＩＣカード１１との間のインタフェースは接触型、非接触型のどちらであってもよく、また両者を兼ね備えるものであってもよい。非接触型インタフェースのＩＣカードと端末との間の通信は端末に近接した位置にＩＣカードをかざすことによって行われるが、この状態も端末へのＩＣカードの装着を意味するものである。
【００２３】
また、図１に示されているように、ＩＣチップ１３を含むさらに小型のＩＣカードであるＩＣチップカード１２の部分だけをＩＣカード１１の外装体から切り離して使用出来る構成としても良い。ＩＣチップカード１２は、例えば携帯電話、ＰＤＡなどの携帯端末に装着する場合に利用される。
【００２４】
ＩＣカード１１の利用形態、つまりＩＣカード１１がどのようなサービスに使用されるカードであるかについては特に制限されるものではない。ある特定のサービスを受けるための専用ＩＣカードであっても良いし、またカード発行後に利用者が所望のサービスを受けるための加入手続きを行って、既に利用者に配布済みのＩＣカード１１内にそのサービスを受けるために必要な情報を登録する形式であっても良い。本実施形態では、ＩＣカード１１を、そのカード本来の用途に加え、個人の情報ツール、または企業等の広告、宣伝用ツールとしても利用できるようにするために、以下のような機能・構成をＩＣカード１１に設けている。
【００２５】
ＩＣカード１１の外装体表面には、図１に示されているように、広告依頼者からの注文に応じてデザインされた文字や絵柄「ＡＡＡＢＢＢ」が広告情報として印刷されている。これは、国や地方公共団体、民間企業等が提供するサービスの広告、宣伝を初め、各種商品、または観光地、ホテル、飲食店、アミューズメントパークなどの広告、宣伝のための情報である。ＩＣチップカード１２の外装体表面にも同様の広告情報が印刷されている。このようにＩＣカード１１およびＩＣチップカード１２の表面に広告情報を印刷した広告印刷部を設けているのは、ＩＣカード１１などを受け取ったユーザに訴求すると伴に、ＩＣチップ１３内に関連する広告情報が記憶されていることを認識させるためである。以下では、特段の断りがない限りは、ＩＣカード１１およびＩＣチップカード１２のどちらについても、ＩＣカード１１と表現することとする。
【００２６】
さらに、本実施形態では、ＩＣチップ１３内にも、外装体表面に印刷された広告情報と関連する広告情報が電子情報として記憶されている。ＩＣチップ１３内に広告情報として記憶された電子情報（以下、広告用電子情報と称する）は、ＩＣカード１１が装着して使用される端末の表示装置や音声出力装置などの出力装置にそのＩＣカード１１に対応する広告情報を出力させるための情報である。例えば、端末の表示装置に広告情報として表示すべき動画、静止画などの画像情報それ自体、または、端末の音声出力装置に広告情報として出力すべき音声情報それ自体をＩＣチップ１３内に広告用電子情報として記憶してもよいし、またインターネット上で公開されている広告主のホームページのＵＲＬ（Uniform Resource Locator）を広告用電子情報として記憶しても良い。ここで、ＵＲＬとはインターネット上における広告情報の所在位置を示すアドレス情報であり、広告情報を保持するサーバのアドレスとそのサーバから取得すべき広告情報を構成するファイル名等からなる。
【００２７】
ＩＣチップ１３には、図示のように、ＣＰＵ２１、カードインタフェース２２、ＲＯＭ２３、ＲＡＭ２４、およびＥＥＰＲＯＭ２５が内蔵されている。これらはバスを介して相互接続されている。ＣＰＵ２１はＲＯＭ２３内に記憶されているカードＯＳを実行することによってＩＣチップ１３の動作制御に関する各種機能を実行する。ＣＰＵ２１によって実行される主な機能は、ＩＣカード１１が装着された端末との間の通信機能、ＥＥＰＲＯＭ２５に対するデータのリード・ライト制御機能等である。
【００２８】
カードインタフェース２２は接触型または非接触型（その双方）に対応したインタフェース動作を行う。ＲＡＭ２４はＣＰＵ２１の作業エリアとして利用される。
【００２９】
ＥＥＰＲＯＭ２５は電気的に書き換え可能な不揮発性メモリであり、その不揮発性メモリの記憶領域内には一回書き込み領域２６およびフリー書き込み領域２７がそれぞれ割り当てられている。
【００３０】
一回書き込み領域２６は、書き換え（消去も含む）を防止する必要のある保護対象データの書き込みに使用される記憶領域であり、データの書き込みが一回のみに制限されている。上述の広告用電子情報２８は、一回書き込み領域２６に書き込まれる。これにより、広告用電子情報２８を予め書き換え不可に設定した状態で、ＩＣカード１１をユーザに配布することが出来る。
【００３１】
フリー書き込み領域２７は、繰り返し書き込み可能な記憶領域である。このフリー書き込み領域２７は基本的にはユーザが自由にデータを記憶するために利用可能な領域であり、ユーザは、例えばアドレス帳情報、スケジュール情報などといったユーザデータ（ユーザデータ１，ユーザデータ２）を端末を介してＩＣカード１１に保存し、さらにそれを必要に応じて端末を介してＩＣカード１１から読み出して使用することが出来る。ＩＣカード１１は、ＩＣカード読み取り可能な端末であればどの端末に装着して使用することも出来るので、必要な個人情報（ユーザデータ）を持ち運ぶことが可能となる。また、フリー書き込み領域２７にはアクセス権が設定された記憶領域も設けられており、これはＩＣカード１１を用いて特定のサービスを利用するために必要な識別情報などの固定データの書き込みなどにも利用できる。
【００３２】
ＩＣカード１１内には電源が搭載されていないので、ＩＣチップ１３は、ＩＣカード１１が装着された端末からの給電を受けて動作する。端末からの給電はカードインタフェース２２を通じて接触型または非接触型の形式で行われる。ＣＰＵ２１は給電を受けると動作を開始し、カードインタフェース２２を通じて端末３１との間の通信を開始する。
【００３３】
本実施形態においては、広告用電子情報２８の記憶管理とその広告用電子情報２８を用いてＩＣカード１１固有の広告情報を端末３１の出力装置に出力させるための機能として、ＣＰＵ２１には、電子情報送信処理機能、記憶領域保護機能、書き込み制御機能、等が設けられている。電子情報送信処理機能は、ＥＥＰＲＯＭ２５の一回書き込み領域２６に記憶されている広告用電子情報２８を端末３１に送信して、その広告用電子情報２８に基づく広告情報の出力を端末３１に促す機能である。この電子情報送信処理機能により、ＩＣカード１１に印刷された広告情報に関連する広告情報を画像や音声でユーザに自動的に提供することが出来る。記憶領域保護機能は、ＥＥＰＲＯＭ２５内の一部の記憶領域を上述の一回書き込み領域２６として設定するための機能であり、ＥＥＰＲＯＭ２５内の一部の記憶領域を通常の書き換え可能領域から書き換え不可領域に設定するために用いられる。この記憶領域保護機能は、ＥＥＰＲＯＭ２５内の一部の記憶領域に対する書き込みを許可またき禁止するための保護情報を用いて行われる。保護情報は、ＥＥＰＲＯＭ２５内の特定領域で管理されている。
【００３４】
書き込み制御機能は、外部のホスト装置などからの書き込み要求に応じて、一回書き込み領域２６として使用される記憶領域に広告用電子情報２８を書き込むとともに、広告用電子情報２８を書き込んだ記憶領域を記憶領域保護機能を用いて、書き換え不可に設定する機能である。
【００３５】
次に、図２を参照して、ＩＣカード１１とそれが装着して使用される端末との関係について説明する。
【００３６】
ＩＣカード１１は、ＩＣカード専用端末（ＩＣカード端末）の他、ＩＣカード用アダプタなどを備えたパーソナルコンピュータや、ＩＣチップカード用スロットを持つ携帯電話機、などの各種端末３１に装着して使用することが出来る。携帯電話機に装着して使用されるＩＣチップカード１２は、その携帯電話機から音声通話、データ通信、等の無線通信サービスを利用するために必要な識別情報が書き込まれた一種のＩＤカードである。電話番号等の加入者情報が識別情報として記憶されている。識別情報が記憶されたＩＣチップカード１２を携帯電話機に装着することで、初めてその携帯電話機は無線通信サービスを実行することが可能となる。このような仕組みは、携帯電話機のみならず、例えばＰＤＡなどの他の携帯端末に対しても同様にして適用することが出来る。
【００３７】
広告主が公開しているホームページ等の所在位置を示すＵＲＬが広告用電子情報２８として記憶されているＩＣカード１１が有線または無線によってインターネット３０に接続可能な環境を持つ端末３１に装着された場合には、ＩＣカード１１からＵＲＬを取得し、そのＵＲＬに基づいてインターネット３０へのアクセスを行うという処理が端末３１によって自動的に行われる。そして、そのＵＲＬで指定された所在位置情報に基づき、インターネット４１上のＷｅｂサーバ４１をアクセスして該当する広告ページ４２が端末３１によって取得され、その広告ページが端末３１の出力装置に表示される。広告用電子情報２８にＵＲＬが含まれておらず、端末３１の出力装置に表示すべき画像情報などが広告用電子情報２８としてＩＣカード１１に記憶されている場合には、インターネット４１へのアクセス無しで、その画像情報などが直ちに端末３１の出力装置に表示される。
【００３８】
このような端末３１の動作は、予め端末３１内に実装されたＩＣカード制御用プログラムを端末３１内のＣＰＵに実行させることによって実現される。もちろん、このＩＣカード制御用プログラムをＩＣカード１１内に記憶しておき、端末１１によるＩＣカード１１からのデータ読み込み時などにそのＩＣカード制御用プログラムをＩＣカード１１から端末１１に転送して実行させるようにしても良い。
【００３９】
次に、図３を参照して、ＩＣカード１１内に記憶された広告用電子情報２８を用いてそのＩＣカード１１に対応した固有の広告情報をユーザに提供するための一連の動作について説明する。ここでは、広告用電子情報２８としてＵＲＬがＩＣカード１１に記憶されている場合を想定する。
【００４０】
ＩＣカード１１が装着されている状態で端末３１の電源が投入された時、あるいは既に電源が投入されている端末３１に対してＩＣカード１１が装着された時には、そのＩＣカード１１の存在が端末３１によって検出される（ステップＳ１０１）。そして、端末３１はＩＣカード１１との間の通信を開始し、ＩＣカード１１から記憶されているデータを読み込むためのカード読み込み処理を開始する。このカード読み込み処理は、例えば、ＩＣカード１１の種類を判別したり、固定データとして記憶されている識別情報をＩＣカード１１から読み込んで特定のサービスを開始するために行われる処理である。
【００４１】
このカード読み込み処理の中で、端末３１は、識別情報の読み込みを行うと共に、広告用電子情報の取得も同時に行う。端末３１が広告情報のリード要求をＩＣカード１１に指示すると（ステップＳ１０２）、ＩＣカード１１のＣＰＵ２１は、その広告情報リード要求に応答して、ＩＣカード１１に対応した広告情報を端末３１に出力させるために上述の電子情報送信処理機能を実行することにより、一回書き込み領域２６から広告用電子情報２８を読み出してそれを端末３１に送信する（ステップＳ１０３）。広告用電子情報２８がＵＲＬの場合、そのＵＲＬを端末３１に送ることで広告ページを取得してそれを表示すべきことが端末３１に促される。もちろん、端末３１から明示的な広告情報リード要求を受けずとも、上述の電子情報送信処理機能が、端末３１からの識別情報のリード要求に応答して、識別情報の読み出しと広告用電子情報２８の読み出しとを自動的に行って、広告用電子情報２８に基づく広告情報の出力を端末３１に促すこともできる。
【００４２】
端末３１は、ＩＣカード１１から広告情報としてＵＲＬを取得すると、そのＵＲＬで指定されるインターネット３０上のＷｅｂサーバ４１をアクセスしてそのＷｅｂサーバ４１に広告ページの取得要求を実行する（ステップＳ１０４）。Ｗｅｂサーバ４１は取得要求された広告ページを端末３１に送信する（ステップＳ１０５）。Ｗｅｂサーバ４１から広告ページを受け取ると、端末３１は、広告ページを自身の表示装置に画面表示する（ステップＳ１０６）。
【００４３】
このように、ＩＣカード１１から端末３１への広告用電子情報２８の電子情報送信処理を、端末３１の電源投入時または端末３１へのＩＣカード１１の装着時に行うことにより、ユーザによる特別な操作無しで、広告情報を一種のオープニング画面としてユーザに提供することが可能となる。また、広告用電子情報２８としてＵＲＬを使用することにより、僅かなデータサイズのデータを広告用電子情報２８としてＩＣカード１１に書き込んでおくだけで、広告主の最新のホームページをユーザに広告情報として提供することが出来る。
【００４４】
図４には、ＥＥＰＲＯＭ２５の記憶領域に割り当てられる具体的なメモリマップの一例が示されている。
【００４５】
ＥＥＰＲＯＭ２５の記憶領域はカードＯＳによってディレクトリ構造で管理されている。このディレクトリ構造は、ルートディレクトリに相当するマスタファイルＭＦ、その下層のディレクトリに相当するＤＦ（Dedicated File）領域、および通常のファイルに相当するＥＦ（Elementary File）領域から構成される。
【００４６】
図４においては、一回書き込み領域２６は、ＤＦ１というディレクトリ内におけるＩＤ１という名前のＥＦ領域（ＥＦＩＤ１）から構成されている。また、フリー書き込み領域２７は、ＤＦ２というディレクトリ内におけるＩＤ２という名前の第１のＥＦ領域（ＥＦＩＤ２）２７ａと、ＩＤ３という名前の第２のＥＦ領域（ＥＦＩＤ３）２７ｂから構成されている。
【００４７】
第１のＥＦ領域（ＥＦＩＤ２）２７ａおよび第２のＥＦ領域（ＥＦＩＤ３）２７ｂはどちらも繰り返し書き込みを行うことが出来る上書き可能領域であるが、第２のＥＦ領域（ＥＦＩＤ３）２７ｂについてアクセス権が設定されている。このため、第２のＥＦ領域（ＥＦＩＤ３）２７ｂに対するデータの書き込み・読み出しには予め決められた特定の認証処理を端末３１のＩＣカード制御用プログラムとＩＣカード１１のカードＯＳとの間で行うことが必要となる。
【００４８】
さらに、ＥＥＰＲＯＭ２５の記憶領域にはプロテクションメモリ領域２９も設けられている。このプロテクションメモリ領域２９（以下、プロテクションメモリ２９ともいう）は端末３１からは参照できない秘匿化された特殊領域であり、ここには一回書き込み領域２６への書き込みを許可または禁止制御するための保護情報が記憶されている。一回書き込み領域２６を書き換え不可に設定するという上述の記憶領域保護機能は、プロテクションメモリ領域２９の保護情報を用いて行われる。なお、保護情報を用いた書き込みの許可または禁止の制御は、一回書き込み領域２６を構成する複数の単位記憶領域それぞれについて個別に行われる。
【００４９】
図５には、プロテクションメモリ２９に格納されている保護情報と一回書き込み領域２６との関係が示されている。
【００５０】
ここでは、一回書き込み領域２６の記憶サイズが５バイトの場合を想定している。この場合、プロテクションメモリ２９の保護情報は５ビット（ｂ１〜ｂ５）から成る。プロテクションメモリ２９の１ビット目のビットｂ１は一回書き込み領域２６の１バイト目の記憶領域＃１に対応する保護情報であり、“０”は書き込み可を示し、“１”は書き込み不可を示す。同様に、２ビット目のビットｂ２から５ビット目のビットｂ５は、一回書き込み領域２６の２バイト目の記憶領域＃２から５バイト目の記憶領域＃５それぞれに対応する保護情報である。
【００５１】
初期状態においては、図５（ａ）に示すように、プロテクションメモリ２９の保護情報ｂ１〜ｂ５はすべて“０”であり、一回書き込み領域２６の全ての記憶領域＃１〜＃５は書き込み可能である。
【００５２】
そして、広告用電子情報２８を例えば一回書き込み領域２６の記憶領域＃２〜＃４に書き込むと、図５（ｂ）に示すように、プロテクションメモリ２９の保護情報ｂ２〜ｂ４の値がそれぞれ“０”から“１”に更新される。これによって、一回書き込み領域２６の記憶領域＃２〜＃４は書き込み不可に設定される。
【００５３】
このように、広告用電子情報２８を一回書き込み領域２６に書き込むと共に、その広告用電子情報２８を書き込んだ領域をプロテクションメモリ２９の保護情報を用いて書き換え不可に設定するという書き込み制御機能をＩＣカード１１内に設けることにより、ＲＯＭライタなどを用いて読み出し専用のＲＯＭに広告用電子情報２８を書き込むといった非効率な方法を用いることなく、広告主またはカード発行会社の端末によって書き込み制御信号をＩＣカード１１に指示するだけで、広告用電子情報２８をその書き換えを禁止した状態でＩＣカード１１に容易に書き込むことが可能となる。つまり、カード発行会社については、ＩＣカード１１の製造後において広告依頼者から依頼があったときに、指定された広告用電子情報２８を指定された枚数のＩＣカード１１に書き換え禁止にした状態で書き込んで即座に発行することが可能となる。また、広告主が、初期状態のＩＣカード１１上に自身のホームページのＵＲＬなどを広告用電子情報２８としてＩＣカード１１に書き込んだ後に、それをその広告主が経営する店舗に訪れた客に対して配布することも可能となる。
【００５４】
さらに、プロテクションメモリ２９の保護情報を用いた書き込み制御処理においては、一回書き込み領域２６を単位記憶領域毎に分けてデータ書き換えの許可または禁止を制御しているので、一回書き込み領域２６内の余っている領域はＩＣカード１１の配布後においても書き換え不可のデータの書き込みに使用することが出来る。よって、ＩＣカード１１をユーザに配布した後でも、一回書き込み領域２６は様々な保護対象データの記憶に利用することが出来る。例えば、前述したような特定のサービスを受けるために必要な識別情報を一回書き込み領域２６に書き込むようにしても良い。
【００５５】
次に、図６を参照して、ＩＣカード１１の初期状態からその配布に至るまでの過程におけるカード内記憶情報の変化の様子について説明する。
【００５６】
図６においては、一回書き込み領域２６のデータ記憶サイズが２４バイトである場合を想定している。この場合、プロテクションメモリ２９の保護情報は２４ビットからなる。
【００５７】
図６（ａ）に示されているように、ＩＣカード１１の初期状態においては、どの領域にもデータは書き込まれておらず、プロテクションメモリ２９の２４ビットの保護情報は全て“０”である。ＩＣカード１１の発行前には、一回書き込み領域２６への広告用電子情報２８の書き込みが行われる。図６（ｂ）は１６バイトの広告用電子情報２８を一回書き込み領域２６の先頭から書き込んだ場合を示している。この場合、プロテクションメモリ２９の２４ビットの保護情報の内、最初の１６ビットは“０”から“１”に変化される。なお、例えば期間限定の広告用電子情報等については、書き換えを禁止する必要はないので、フリー書き込み領域２７内の第１のＥＦ領域（ＥＦＩＤ２）２７ａに格納しても良い。
【００５８】
ＩＣカード１１の配布後においては、図６（ｃ）に示すように、ユーザは端末３１を通じてフリー書き込み領域２７内の第１のＥＦ領域（ＥＦＩＤ２）２７ａに自由にユーザデータを書き込むことが出来る。
【００５９】
次に、図７を参照して、ＩＣカード１１のＣＰＵ２１によって制御されるＥＥＰＲＯＭ２５に対するリード・ライト動作について説明する。
【００６０】
ＩＣカード１１のＣＰＵ２１は、ＩＣカード１１が配布されたユーザが使用する端末やカード発行会社または広告主が所有する端末などの外部のホスト装置からデータを受信すると（ステップＳ１１１）、それがＥＥＰＲＯＭ２５に対するアクセスコマンドであるかどうかを判断する（ステップＳ１１２）。ＥＥＰＲＯＭ２５に対するアクセスコマンドである場合、そのコマンドに含まれるリード／ライト情報およびディレクトリパス情報等によって、どの領域に対するアクセスで、且つそのアクセスがライトであるかリードであるかがＣＰＵ２１によって判別される。
【００６１】
一回書き込み領域２６へのライトである場合、ＣＰＵ２１は、まずリード・ライトコマンド内のパラメタで指定されたアドレス値が正しいものであるかどうかをチェックする（ステップＳ１１３）。例えば、指定されたアドレス値が一回書き込み領域２６のデータ記憶サイズを超えるような場合にはそのアドレス値は正しくないものと判定され、ＣＰＵ２１からアクセス要求元の外部ホスト装置に対してエラーが通知される。指定されたアドレス値が正しい場合には、ＣＰＵ２１は、上述の記憶領域保護機能を実行して、そのアドレス値で指定された一回書き込み領域２６内の書き込み対象領域への書き込みを許可又は禁止するために、その書き込み対象領域に対応するプロテクションメモリ２９内のビット値が“０”であるか“１”であるかを判断する（ステップＳ１１４）。
【００６２】
ビット値が“１”となっている場合には、その書き込み対象領域は書き込み不可に設定されていると判定され、ＣＰＵ２１からアクセス要求元の外部のホスト装置に対してエラーが通知される。一方、ビット値が“０”の場合には、その書き込み対象領域は書き込み許可領域と判定され、書き込みが許可される。この場合、ＣＰＵ２１は、アクセスコマンドに含まれているワンタイムフラグの値を調べる（ステップＳ１１５）。ここで、ワンタイムフラグとはデータを書き込んだ後にその書き込み対象領域を書き込み禁止するかどうかを示すフラグである。ワンタイムフラグが“１”の場合には、ＣＰＵ２１は、書き込み制御機能を実行して、プロテクションメモリ２９内の該当するビット値を“１”に更新すると共に、書き込み対象領域へのデータの書き込みを行う（ステップＳ１１６，Ｓ１１７）。このように、ワンタイムフラグが“１”の場合には、データが書き込まれた各記憶領域それぞれに対応するプロテクションメモリ２９内の該当するビット値を、書き込み許可を示す値“０”から書き込み禁止を示す値“１”に更新する処理が行われる。一方、ワンタイムフラグが“０”の場合には、ＣＰＵ２１は、プロテクションメモリ２９内の該当するビット値を“０”に保持したまま、書き込み対象領域へのデータの書き込みを行う（ステップＳ１１７）。
【００６３】
このように、一回書き込み領域２６にデータを書き込む場合には、そのデータの書き換えを禁止するか否かをホスト装置側で指定することができる。よって、例えば複数の広告用電子情報２８を一回書き込み領域２６に書き込む場合に、それら複数の広告用電子情報２８を選択的に書き換え不可の状態に設定して、書き換え不可の広告用電子情報と書き換え可能な広告用電子情報とを混在させた状態で一回書き込み領域２６に書き込むことも可能となる。
【００６４】
一方、アクセスコマンドがフリー書き込み領域２７へのライトである場合、ＣＰＵ２１は、まずそのコマンド内のパラメタで指定されたアドレス値が正しいものであるかどうかをチェックする（ステップＳ１１８）。そのアドレス値が正しくない場合は、ＣＰＵ２１からアクセス要求元の外部のホスト装置に対してエラーが通知される。指定されたアドレス値が正しい場合には、ＣＰＵ２１は、ステップＳ１１７でフリー書き込み領域２７へのデータ書き込み処理を実行する。ただし、アクセス権が設定されている第２のＥＦ領域（ＥＦＩＤ３）２７ｂへの書き込みの場合には、外部のホスト装置との間でパスワード等を利用した照合処理が行われ、正しく認証した場合にのみ書き込みが許可されることになる。
【００６５】
また、アクセスコマンドがリード要求である場合にも、ＣＰＵ２１は、まずそのコマンド内のパラメタで指定されたアドレス値が正しいものであるかどうかをチェックする（ステップＳ１１９）。そのアドレス値が正しくない場合は、ＣＰＵ２１からアクセス要求元の外部ホスト装置に対してエラーが通知される。指定されたアドレス値が正しい場合には、ＣＰＵ２１は、そのアドレス値で指定される一回書き込み領域２６またはフリー書き込み領域２７から該当するデータを読み出し、それをホスト装置に送信する。一回書き込み領域２６からのデータ読み出しである場合には、上述の電子情報送信処理機能によって、広告用電子情報２８がホスト装置に送信されることになる。
【００６６】
端末３１で実行されるＩＣカード制御用プログラムは、端末３１の電源投入時またはＩＣカード１１の装着時に、識別情報の読み出しを要求するリードコマンドと広告用電子情報２８の読み出しを要求するリードコマンドを発行するので、ＩＣカード１１を装着して端末３１を使用する際には、端末３１はＩＣカード１１に対応した特定のサービスが開始可能となるとともに、端末３１に対して広告用電子情報２８に対応した広告情報の表示を促すことが出来る。また、アクセス権が設定されている第２のＥＦ領域（ＥＦＩＤ３）２７ｂからのデータ読み出しの場合には、外部のホスト装置との間でパスワード等を利用した照合処理が行われ、正しく認証した場合にのみデータ読み出しが許可されることになる。
【００６７】
図８には、一回書き込み領域２６にデータを書き込む際のホスト装置の画面遷移の様子が示されている。
【００６８】
ＩＣカード１１が配布されたユーザが使用する端末やカード発行会社または広告主が所有する端末などの外部のホスト装置で実行されるＩＣカード制御用プログラムは、操作者によってデータを書き込む指示が選択されると、まず、図８（ａ）のようなＧＵＩ画面を表示して、データをＩＣカード１１に保存するか否かを操作者に問い合わせる。図８（ａ）の画面上の「はい」のボタンが操作者により選択されると、ＩＣカード制御用プログラムは、図８（ｂ）のようなＧＵＩ画面を表示して、当該データを書き換えから保護するか否かを操作者に問い合わせる。
【００６９】
図８（ｂ）の画面上の「はい」のボタンが操作者により選択されると、ＩＣカード制御用プログラムは、前述のワンタイムフラグを“１”に設定した状態で一回書き込み領域２６へのライトコマンドをＩＣカード１１に指示する。これにより、ＩＣカード１１は、一回書き込み領域２６に書き込み、対応するプロテクションメモリのビット値を“１”にする。そして、ＩＣカード制御用プログラムは、図８（ｃ）のような画面を表示して、データが保護された状態で保存された旨を操作者に通知する。
【００７０】
一方、図８（ｂ）の画面上の「いいえ」のボタンが操作者により選択されると、ＩＣカード制御用プログラムは、前述のワンタイムフラグを“０”に設定した状態で一回書き込み領域２６へのライトコマンドをＩＣカード１１に指示する。これにより、ＩＣカード１１では、一回書き込み領域２６に書き込み、プロテクションメモリに対しては操作は行われない。そして、ＩＣカード制御用プログラムは、図８（ｄ）のような画面を表示して、データが保護されずに保存された旨を操作者に通知する。
【００７１】
次に、図９のフローチャートを参照して、ＩＣカード１１が配布されたユーザが使用する端末３１に広告情報を表示させる手順について説明する。ここでは、ＩＣカード専用端末ではなく、パーソナルコンピュータや携帯電話などを端末３１として称する場合を想定する。
【００７２】
ＩＣカード１１が装着されている状態で端末３１の電源が投入された時、あるいは既に電源が投入されている端末３１に対してＩＣカード１１が装着された時には、端末３１内に予め組み込まれているＩＣカード制御用プログラムが自動的に起動される。ＩＣカード制御用プログラムは、ＩＣカード１１が装着されたことを検出すると（ステップＳ２０１）、ＩＣカード１１内のカードＯＳとの間で通信を開始して、識別情報などの必要な情報をＩＣカード１１から取得すると共に、一回書き込み領域２６からデータを読み出すためのリードコマンドをＩＣカード１１に指示して、広告用電子情報２８の取得を試行する。そして、広告用電子情報２８がＩＣカード１１から読み出されて端末３１に送信されるかどうかによって、一回書き込み領域２６に広告用電子情報２８が書き込まれているかどうかを判断する（ステップＳ２０２）。広告用電子情報２８がＩＣカード１１から送信されなかった場合、つまり広告用電子情報２８が書き込まれていなかった場合には、広告情報を表示するための処理はこの時点で終了される。
【００７３】
広告用電子情報２８がＩＣカード１１から送信された場合、つまり広告用電子情報２８が書き込まれていた場合には、ＩＣカード制御用プログラムは、端末３１内に広告用電子情報２８に対応する広告情報を表示するために必要なアプリケーションプログラムが存在するか否かを判断する（ステップＳ２０３）。例えば、広告用電子情報２８としてＵＲＬが記憶されていた場合には、Ｗｅｂブラウザなどのアプリケーションが広告情報を表示するために必要なアプリケーションプログラムとなる。また、広告用電子情報２８として所定のファイル形式の画像情報が記憶されていた場合には、そのファイル形式の画像情報を扱うことが可能な画像ビューアプログラム等が広告情報を表示するために必要なアプリケーションプログラムとなる。
【００７４】
広告情報を表示するために必要なアプリケーションプログラムが端末３１内に存在しない場合には、広告情報を表示するための処理はこの時点で終了される。一方、広告情報を表示するために必要なアプリケーションプログラムが端末３１内に存在する場合には、ＩＣカード制御用プログラムは、当該アプリケーションプログラムに広告用電子情報２８を渡してそのアプリケーションプログラムを起動する（ステップＳ２０４）。広告用電子情報２８が画像情報などから構成される広告情報それ自体である場合は、起動されたアプリケーションプログラムによって当該広告情報が端末３１の表示装置に表示されるが、広告用電子情報２８がＵＲＬの場合には、起動されたアプリケーションプログラムによって次の処理が実行される。
【００７５】
すなわち、起動されたアプリケーションプログラムは、ＵＲＬに基づいてインターネット上のＷｅｂサーバをアクセスすることにより、ＵＲＬで指定された広告ページをインターネットを介して取得する（ステップＳ２０５）。そして、アプリケーションプログラムは、取得した広告ページを端末３１の表示装置に表示する（ステップＳ２０６）。
【００７６】
通常、広告ページには他の関連ホームページのＵＲＬがリンク情報として含まれているので、表示されている広告ページ上で他のＷｅｂページへのリンク情報をクリックすることにより、別のＷｅｂページを表示することも出来る。また、広告ページ等には、アンケートなどの目的でユーザに名前、住所、メールアドレスなどの個人情報の入力を促す入力フィールドが定義されているものもある。その入力フィールドに入力された個人情報はサーバに送信されることになるが、この際、その個人情報をＩＣカード１１のフリー書き込み領域２７に保存することもできる。このようなアンケート用の個人情報をＩＣカード１１のフリー書き込み領域２７に保存しておくことにより、再度同一のＷｅｂページにアクセスした際には、フリー書き込み領域２７から個人情報を読み出してＷｅｂページ上の入力フィールドに容易に入力することが可能となる。
【００７７】
なお、Ｗｅｂブラウザや画像ビューアの機能はＩＣカード制御用プログラム内に実装しておくことも可能である。
【００７８】
また、ＩＣカード１１と端末３１との間で行われる通信によってＩＣカード１１から広告用電子情報２８を端末３１に送信して広告情報の出力を端末３１に促す電子情報送信処理は、ＩＣカード１１のカードＯＳと端末３１のＩＣカード制御用プログラムとの間で取り決めた手順で行えばよいので、ＩＣカード制御用プログラムの読み出し要求を待たずに、ＩＣカード１１内のＣＰＵ２１が広告用電子情報２８の記憶の有無を判断し、記憶されている場合にその広告用電子情報２８を端末３１に送信するようにしても良い。このようなＣＰＵ２１による電子情報送信処理は、端末３１からの給電を受けてＣＰＵ２１が動作を開始したときに最初に実行すればよい。
【００７９】
また、本発明は、上記実施形態に限定されるものではなく、実施段階ではその要旨を逸脱しない範囲で種々に変形することが可能である。更に、上記実施形態には種々の段階の発明が含まれており、開示される複数の構成要件における適宜な組み合わせにより種々の発明が抽出され得る。例えば、実施形態に示される全構成要件から幾つかの構成要件が削除されても、発明が解決しようとする課題の欄で述べた課題が解決でき、発明の効果の欄で述べられている効果の少なくとも１つが得られる場合には、この構成要件が削除された構成が発明として抽出され得る。
【００８０】
【発明の効果】
以上のように、請求項１の発明によれば、第１広告情報が印刷されたＩＣカードを端末に装着して使用する際に自動的にＩＣカードに固有の第２広告情報を端末に出力させることが出来るので、第２広告情報を出力するための電子情報を記憶したＩＣカードを利用者に配布するだけで、効率よく利用者に第２広告情報を提供することが出来る。また、請求項２の発明によれば、電子情報としてネットワーク上における第２広告情報の所在位置を示すアドレス情報をＩＣカードに記憶することで、広告主の最新のホームページ等を第２広告情報として自動的に端末の出力装置に出力させることが可能となる。
【図面の簡単な説明】
【図１】本発明の一実施形態に係るＩＣカードの構成を説明するための図。
【図２】同実施形態のＩＣカードとそれが装着して使用される端末との関係を説明するための図。
【図３】同実施形態のＩＣカード内に記憶された広告用電子情報を用いてそのＩＣカードに対応した固有の広告情報をユーザに提供するための一連の動作を説明するための図。
【図４】同実施形態のＩＣカード内に設けられた記憶領域に割り当てられるメモリマップの一例を示す図。
【図５】同実施形態のＩＣカード内に設けられたプロテクションメモリに格納されている保護情報と一回書き込み領域との関係を示す図。
【図６】同実施形態のＩＣカードの初期状態からその配布に至るまでの過程におけるカード内記憶情報の変化の様子を示す図。
【図７】同実施形態のＩＣカードのＣＰＵによって実行されるＥＥＰＲＯＭのリード・ライト動作を説明するフローチャート。
【図８】同実施形態のＩＣカード内に設けられた一回書き込み領域にデータを書き込む際のホスト装置の画面遷移の様子を示す図。
【図９】同実施形態のＩＣカードが配布されたユーザが使用する端末に広告情報を表示させる手順を示すフローチャート。
【符号の説明】
１１…ＩＣカード
１２…ＩＣチップカード
１３…ＩＣチップ
２１…ＣＰＵ
２５…ＥＥＰＲＯＭ
２６…一回書き込み領域
２７…フリー書き込み領域
２８…広告用電子情報
２９…プロテクションメモリ領域
３０…インターネット
４１…Ｗｅｂサーバ
４２…広告ページ
【図１】
0003915514.tif 000002
【図２】
0003915514.tif 000003
【図３】
0003915514.tif 000004
【図４】
0003915514.tif 000005
【図５】
0003915514.tif 000006
【図６】
0003915514.tif 000007
【図７】
0003915514.tif 000008
【図８】
0003915514.tif 000009
【図９】
0003915514.tif 000010